【手続補正書】
【提出日】平成20年4月3日(2008.4.3)
【手続補正１】
【補正対象書類名】明細書
【補正対象項目名】特許請求の範囲
【補正方法】変更
【補正の内容】
【特許請求の範囲】  
【請求項１】  呼掛けビームを送信するように構築されたトランシーバと、
前記呼掛けビームを受信可能な通信局と
を備え、
前記通信局が、アレイ内に配置された複数の位相共役器を有するところのシステム。
【請求項２】  前記通信局が、符号化した位相共役ビームを、前記複数の位相共役器から前記トランシーバに送信することが可能な、請求項１に記載のシステム。
【請求項３】  前記通信局が、データを、複数の半導体レーザダイオード内の位相共役ビームに符号化し、そして、キャビティ内縮退四波混合により符号化した位相共役ビームをポンピングすることにより、前記呼掛けビームに応答するように構成される、請求項１に記載のシステム。
【請求項４】  前記位相共役ビームの前記符号化が、約１キロヘルツを超える速度で得られる、請求項３に記載のシステム。
【請求項５】  前記位相共役ビームの前記符号化が、約１ＧＨｚから約１０ＧＨｚまでの範囲内の速度で得られる、請求項３に記載のシステム。
【請求項６】  前記複数の位相共役器が、実質的に線形のアレイ内に配置される、請求項１に記載のシステム。
【請求項７】  前記複数の位相共役器が、実質的に間隔をあけて配置される、請求項１に記載のシステム。
【請求項８】  前記複数の位相共役器の各々が、単一の利得ストライプ装置である、請求項１に記載のシステム。
【請求項９】  前記複数の位相共役器の数が、少なくとも４つである、請求項１に記載のシステム。
【請求項１０】  前記複数の位相共役器の各々が、呼掛けビームの入力波面における空間成分のかなりの部分を分解するのに十分なアパーチャを有している、請求項１に記載のシステム。
【請求項１１】  前記複数の位相共役器の各々がが、呼掛けビームの入力波面における空間成分の約８０％を超える部分を分解するのに十分なアパーチャを有している、請求項１に記載のシステム。
【請求項１２】  前記通信局が、可動部分照準および追跡システムを有しない、請求項１に記載のシステム。
【請求項１３】  前記複数の位相共役器が、それぞれ、アパーチャを有する頂部電極を備える、請求項１に記載のシステム。
【請求項１４】  前記呼掛けビームが、実質的に横方向の角度で前記複数の位相共役器内で動作する複数のポンプビームと相互作用する、請求項１に記載のシステム。
【請求項１５】  前記呼掛けビームが、実質的に並列の方式で前記複数の位相共役器内で動作する複数のポンプビームと相互作用する、請求項１に記載のシステム。
【請求項１６】  前記トランシーバが、無人航空機、飛行機、高高度長時間持続型プラットフォーム、衛星、地上局及び自動車からなる群から選んだ１つに設けられる、請求項１に記載のシステム。
【請求項１７】  前記通信局が、無人航空機、飛行機、高高度長時間持続型プラットフォーム、衛星、地上局及び自動車からなる群から選んだ１つに設けられる、請求項１に記載のシステム。
【請求項１８】  呼掛けビームを送信するように構築されたトランシーバと、
前記呼掛けビームを受信可能な通信局と
を備え、前記通信極が、頂部電極を有する位相共役器を備えるシステムであって、
前記頂部電極内にアパーチャが配置されているシステム。
【請求項１９】  前記呼掛けビームが、実質的に横方向の角度で前記位相共役器内で動作する少なくとも１つのポンプビームと相互作用する、請求項１８に記載のシステム。
【請求項２０】  前記位相共役器が、ブロードエリア分散フィードバックレーザ装置である、請求項１８に記載のシステム。
【請求項２１】  前記アパーチャが、１０ミクロンを超える、請求項１８に記載のシステム。
【請求項２２】  呼掛けビームを送信するように構築されたトランシーバと、
前記呼掛けビームを受信可能な通信局とを備え、
前記通信局が、垂直キャビティ面放射レーザである位相共役器を有するシステム。
【請求項２３】  前記呼掛けビームが、実質的に並列の方式で前記位相共役器内で動作する少なくとも１つのポンプビームと相互作用する、請求項２２に記載のシステム。
【請求項２４】  呼掛けビームを送信するように構築された光ファイバ装置と、
前記呼掛けビームを受信し、前記ビームを所定のキャビティ内位相共役器に送信するのに適したマイクロミラーと
を備える光学相互接続システム。
【請求項２５】  前記位相共役器が、垂直キャビティ面放射レーザである、請求項２４に記載のシステム。
【請求項２６】  前記呼掛けビームが、実質的に並列の方式で前記位相共役器内で動作する少なくとも１つのポンプビームと相互作用する、請求項２４に記載のシステム。
【請求項２７】  前記位相共役器が、アパーチャを有する頂部電極を備える、請求項２４に記載のシステム。
【請求項２８】  前記位相共役器が、ブロードエリア分散フィードバックレーザ装置である、請求項２４に記載のシステム。
【請求項２９】  前記呼掛けビームが、横方向の角度で前記位相共役器内で動作する少なくとも１つのポンプビームと相互作用する、請求項２４に記載のシステム。
【請求項３０】  前記所定の位相共役器が、アレイ内に配置された複数の位相共役器のうちの１つである、請求項２４に記載のシステム。
【請求項３１】  前記所定の位相共役器が、位相共役器の複数のアレイの第１のアレイ内に配置された複数の位相共役器のうちの１つである、請求項２４に記載のシステム。
【請求項３２】  前記複数の位相共役器の各々が、単一の利得ストライプ装置である、請求項３０に記載のシステム。
【請求項３３】  前記複数の位相共役器が、頂部電極に位置するアパーチャを有する、請求項３０に記載のシステム。
【請求項３４】  呼掛けビームを送受信するための送受信手段と、
前記送受信手段に作動的に接続され、位相共役ビームを前記送受信手段に戻すためのブロードエリアキャビティ内位相共役器を有する通信局と
を備えるシステム。
【請求項３５】  呼掛けビームをトランシーバから送信するステップと、
通信局において、前記呼掛けビームを受信するステップと、
データを位相共役ビームデータに符号化し、そして、縮退四波混合により符号化した位相共役反射率をポンピングするステップと、
前記符号化した位相共役ビームを前記トランシーバに送信して戻すステップと
を含む方法。
【請求項３６】  呼掛けビームをトランシーバから送信するステップと、
位相共役器のアレイにおいて前記呼掛けビームを受信するステップと、
データを位相共役ビームに変調するステップと、
前記位相共役ビームを前記トランシーバに送信するステップと
を含む方法。
【請求項３７】  前記位相共役器の近傍に設けられたセンサを介してデータを収集するステップと、前記データを前記位相共役器に送信するステップとをさらに含む、請求項３６に記載の方法。
【請求項３８】  前記呼掛けビームが、実質的に並列の方式で前記位相共役器の各々の中で動作する少なくとも１つのポンプビームと相互作用する、請求項３６に記載の方法。
【請求項３９】  前記呼掛けビームが、実質的に横方向の方式で前記位相共役器の各々の中で動作する少なくとも１つのポンプビームと相互作用する、請求項３６に記載の方法。
【請求項４０】  呼掛けビームをトランシーバから送信するステップと、
位相共役器のアレイにおいて前記呼掛けビームを、前記位相共役器の頂部電極内に設けられたアパーチャを通して受信するステップと、
データを位相共役ビームに変調するステップと、
前記位相共役ビームを前記トランシーバに送信するステップと
を含む方法。
【請求項４１】  呼掛けビームをトランシーバから送信するステップと、
位相共役器のアレイにおいて前記呼掛けビームを受信し、そして、前記呼掛けビームの入力波面における空間成分のかなりの部分を分解するステップと、
データを位相共役ビームに変調するステップと、
前記位相共役ビームを前記トランシーバに送信するステップと
を含む方法。
【請求項４２】  光学相互接続を提供する方法であって、
呼掛けビームを光ファイバ装置から送信するステップと、
自由空間内において、マイクロミラーで前記呼掛けビームを受信するステップと、
第２のビームをマイクロミラーから所定の位相共役器に送信するステップと
を含む方法。
【請求項４３】  前記所定の位相共役器でデータを前記第２のビームに変調するステップと、
符号化した位相共役ビームを前記マイクロミラーに送信するステップと
を含む、請求項４２に記載の方法。
【請求項４４】  第３のビームを前記マイクロミラーから前記光ファイバ装置に送信するステップを含む、請求項４３に記載の方法。
【請求項４５】  前記複数のキャビティ内位相共役器が、２次元アレイに配置されている、請求項１に記載のシステム。
【請求項４６】  前記複数のキャビティ内位相共役器が、
前記複数のキャビティ内位相共役器の各々のための非線形手段であって、少なくとも２つのコヒーレントポンプビームを生成するのに適したところの非線形手段と、
前記コヒーレントポンプビームを符号化するための手段と
を備える、請求項１に記載のシステム。
【請求項４７】  前記非線形手段が、ブロードエリア分散フィードバックレーザ装置を含むダイオードとして構成される、請求項４６に記載のシステム。
【請求項４８】  前記頂部電極を有する前記キャビティ内位相共役器が、
少なくとも２つのコヒーレントポンプビームを生成するのに適した非線形手段と、
前記コヒーレントポンプビームを符号化するための手段と
を備える、請求項１８に記載のシステム。
【請求項４９】  前記非線形手段が、修正ブロードエリア分散フィードバックレーザ装置を含むダイオードとして構成される、請求項４８に記載のシステム。